(57)【要約】【課題】基準白板のゴミや汚れ等の影響の少ないシェーディングデータを得る。【解決手段】基準白板上の主走査方向上に数個おきに並ぶ所定の画素の各々で、副走査方向に重加算平均値を取り、シェーディングデータを得る。基準白板は複数枚のシールで構成されることが好ましい。基準白板上の画素は、白基準データ取り込み部１１で取り込まれ、重加算平均演算処理部１２において副走査方向に重加算平均値を取られる。基準白板上の画素は複数あるため、それらを勘案して疑似のシェーディングデータを算出する。【選択図】図１
2008053926.tif 000002
【特許請求の範囲】
【請求項１】
読み取り対象の原稿を画像データとして読み取る画像読取手段と、
前記画像読取手段によって読み取った画像データに対して所定の画像処理を施す画像処理手段と、
前記画像読取手段によって読み取られシェーディングデータの基準となる画像データを提供する基準白板と、
該基準白板上の所定の画素から得られた画像データを重加算平均演算してシェーディングデータを得る演算手段と、を有することを特徴とする画像読取装置。
【請求項２】
前記演算手段は、前ラインまでの重加算平均演算結果値より所定の値だけ小さいデータの画素があった場合、該画素に換えて、前回の演算結果値を、前記所定の画素として用いることを特徴とする請求項１記載の画像読取装置。
【請求項３】
前記演算手段は、所定の個数おきの画素を、前記所定の画素として用いて、前記所定の個数おきの画素の前後数画素に換えることを特徴とする請求項１又は２記載の画像読取装置。
【請求項４】
前記基準白板を複数有し、
前記演算手段は、各前記基準白板上の前記所定の画素において重加算平均演算して得られたシェーディングデータを、単純平均演算して全体のシェーディングデータを得ることを特徴とする請求項１から３のいずれか１項記載の画像読取装置。
【請求項５】
前記基準白板は、主走査方向に配列された複数枚の貼り替え可能なシールで構成されることを特徴とする請求項１から４のいずれか１項記載の画像読取装置。
【請求項６】
前記基準白板を構成する複数枚のシールが新規に貼られてからの経過時間を、それぞれ記憶する記憶手段を有することを特徴とする請求項５記載の画像読取装置。
【請求項７】
前記演算手段による重加算平均演算処理において、前ラインまでの重加算平均演算結果値より所定の値だけ小さいデータの画素があった場合、該画素を有する前記基準白板の位置を表示する表示手段を有することを特徴とする請求項５又は６記載の画像読取装置。
【請求項８】
前記基準白板が貼られているか否かを、複数枚の前記基準白板それぞれについて調べて検知する検知手段を有することを特徴とする請求項５から７のいずれか１項記載の画像読取装置。
【請求項９】
前記演算手段は、前記検知手段によって前記基準白板が貼られていないことが検知された箇所があると、当該基準白板上の前記所定の画素から得られる画像データを重加算平均演算して得られるシェーディングデータに換えて、前回得られたシェーディングデータを用いることを特徴とする請求項８記載の画像読取装置。
【請求項１０】
主走査方向に配列されて貼り替え可能に設置される複数枚のシールで構成されることを特徴とする基準白板。
【発明の詳細な説明】
【技術分野】
【０００１】
本発明は、デジタルコピー機、ファクシミリ、スキャナを含む画像読取装置と、画像読取装置に設けられてシェーディング補正に用いられる基準白板（白色基準板）と、に関する。
【背景技術】
【０００２】
複写機（デジタルコピー機）、ファクシミリ、スキャナ等の画像読取装置は、原稿台上にセットされたシート状の原稿画像を一次元イメージセンサなどの原稿読取り手段により、アナログ的に又はデジタル的に読取る原稿画像読取り装置を備えている。画像読取装置には、原稿読取り手段を固定して原稿を移動させる原稿移動型と、原稿台上の原稿を固定して読取り位置を移動させる原稿固定型とがある。原稿固定型の画像読取装置は、原稿台に原稿がセットされると、原稿を照らすランプと照らされたランプの光を受けた原稿の画像を固定されたイメージセンサへ伝えるためのミラーを走査して原稿を読取る。また、原稿移動型の画像読取装置の場合は、原稿を照らすランプと照らされたランプの光を受けた原稿の画像を固定されたイメージセンサへ伝えるためのミラーは固定され、その上を原稿が移動することにより画像の読取りを行う。
【０００３】
上記２つのタイプの画像読取装置はいずれの場合も、原稿を読取る際の画像濃度の基準とすべき白色として、原稿画像読取りの直前に白の基準として設置された白板（以下、基準白板）を読取り、その値を基準として読取り原稿の濃度を決定している。つまり、基準白板は、原稿画像読取りにおける白を規定し、ダイナミックレンジを決定することになる。
そのため基準白板を利用する場合は、できるだけ白い板を読取ることが要求され、また、設置後にゴミや汚れなどの付着物がのらないように注意することが重要である。
【０００４】
ゴミや汚れなどの付着物の影響を軽減するためになされた従来技術としては、特許文献１に開示された発明がある。
この従来技術は、複数ライン分の基準白板データからシェーディング補正データ（以下、シェーディングデータ）を作成し、その際、異常値の画素をシェーディングデータの作成の対象から除外し、除外の対象とならなかったデータに基づいてシェーディングデータを作成するようにした画像読取装置である。
【０００５】
また、ゴミや汚れなどの付着物の影響を軽減するためになされた従来技術としては他に、特許文献２に開示された発明もある。
この従来技術は、異常画像データ連続数が副走査方向に任意の値以上の場合に、周囲の画素データより異常画素データを補正し、主走査方向、副走査方向にそれぞれ任意の値以上の場合は、制御手段によりその旨を外部に知らせるようにした画像読取装置である。
【特許文献１】特開２００２−３００３９２号公報
【特許文献２】特開平９−１３５３３２号公報
【発明の開示】
【発明が解決しようとする課題】
【０００６】
従来の技術では、基準白板に小さいゴミが１，２個のっていたような場合は、ゴミを読取ったレベルの低いデータは重み付け平均（以下、重加算平均）の計算から除くため、十分追従したシェーディングデータが得られるので問題なかったが、その画素に、あるライン数以上の大きいゴミがのっていた場合は、ゴミを読み取ったデータは計算から除くので、重加算平均演算に用いる基準白板データのライン数が少なくなり、十分追従しきれていない重加算平均演算結果をシェーディングデータとしてしまっていた。十分追従できていないシェーディングデータを用いてシェーディング補正をすると、転写紙に白すじが発生するという問題があった。
【０００７】
本発明は、上記の問題に鑑みてなされたものであり、基準白板のゴミや汚れ等の影響の少ないシェーディングデータを得ることを目的とする。
【課題を解決するための手段】
【０００８】
上記目的を達成するためになされた請求項１記載の発明は、読み取り対象の原稿を画像データとして読み取る画像読取手段と、前記画像読取手段によって読み取った画像データに対して所定の画像処理を施す画像処理手段と、前記画像読取手段によって読み取られシェーディングデータの基準となる画像データを提供する基準白板と、該基準白板上の所定の画素から得られた画像データを重加算平均演算してシェーディングデータを得る演算手段と、を有することを特徴とする画像読取装置である。
【０００９】
請求項２記載の発明は、請求項１記載の画像読取装置において、前記演算手段は、前ラインまでの重加算平均演算結果値より所定の値だけ小さいデータの画素があった場合、該画素に換えて、前回の演算結果値を、前記所定の画素として用いることを特徴とする。
【００１０】
請求項３記載の発明は、請求項１又は２記載の画像読取装置において、前記演算手段は、所定の個数おきの画素を、前記所定の画素として用いて、前記所定の個数おきの画素の前後数画素に換えることを特徴とする。
【００１１】
請求項４記載の発明は、請求項１から３のいずれか１項記載の画像読取装置において、前記基準白板を複数有し、前記演算手段は、各前記基準白板上の前記所定の画素において重加算平均演算して得られたシェーディングデータを、単純平均演算して全体のシェーディングデータを得ることを特徴とする。
【００１２】
請求項５記載の発明は、請求項１から４のいずれか１項記載の画像読取装置において、前記基準白板は、主走査方向に配列された複数枚の貼り替え可能なシールで構成されることを特徴とする。
【００１３】
請求項６記載の発明は、請求項５記載の画像読取装置において、前記基準白板を構成する複数枚のシールが新規に貼られてからの経過時間を、それぞれ記憶する記憶手段を有することを特徴とする。
【００１４】
請求項７記載の発明は、請求項５又は６記載の画像読取装置において、前記演算手段による重加算平均演算処理において、前ラインまでの重加算平均演算結果値より所定の値だけ小さいデータの画素があった場合、該画素を有する前記基準白板の位置を表示する表示手段を有することを特徴とする。
【００１５】
請求項８記載の発明は、請求項５から７のいずれか１項記載の画像読取装置において、前記基準白板が貼られているか否かを、複数枚の前記基準白板それぞれについて調べて検知する検知手段を有することを特徴とする。
【００１６】
請求項９記載の発明は、請求項８記載の画像読取装置において、前記演算手段は、前記検知手段によって前記基準白板が貼られていないことが検知された箇所があると、当該基準白板上の前記所定の画素から得られる画像データを重加算平均演算して得られるシェーディングデータに換えて、前回得られたシェーディングデータを用いることを特徴とする。
【００１７】
請求項１０記載の発明は、主走査方向に配列されて貼り替え可能に貼着される複数枚のシールで構成されることを特徴とする基準白板である。
【発明の効果】
【００１８】
本発明によれば、基準白板のゴミや汚れの影響の少ないシェーディングデータを得ることができる。
【発明を実施するための最良の形態】
【００１９】
以下、本発明の好適な実施の形態について図面を参照して詳細に説明する。なお、本発明は、以下に説明する実施の形態に限定されることなく、要旨を逸脱しない限りにおいて種々の変形が可能である。
【００２０】
図１は、本実施形態に該当する画像読取装置１０の主要部の構成を示すブロック図である。このブロック図は、操作パネル１６を除いて、コピー時等に読み取る基準白板データを処理する部分である。
図１に示すように画像読取装置１０の主要部は、白基準データ取り込み部１１、重加算平均演算処理部（単純平均処理部）１２、ＣＰＵ１３、ＲＯＭ１４、シェーディング補正部１５、操作パネル１６を有している。また、図１に示す部分以外に、画像読取装置１０は、基準白板取り付け用の板７を有し、その上に基準白板１から５が設置されている。この部分の構成については、図３を参照して後述する。
以下で、図１に示す構成のそれぞれの動作を説明する。
【００２１】
白基準データ取り込み部１１は、ＸＳＬＥＡＤ（基準白板有効領域にアサートされる信号とする）アサート期間に読み取った基準白板データを取り込み保存しておくところである。
【００２２】
また、白基準データ取り込み部１１は、詳細は後述するが、基準白板１から５を貼り替え可能なシールで構成する場合、これら基準白板１から５が、図３で示す基準白板取り付け用の板７に貼られているか否かを検知する検知手段でもある。
【００２３】
重加算平均処理部（単純平均処理部）１２は、ＸＳＬＥＡＤがアサートしている期間に取り込まれた基準白板データを、主走査方向の各画素において副走査方向に重加算平均演算を行ってシェーディングデータを生成する。
重加算平均演算をすることによって、基準白板の汚れやゴミの影響はほとんどなくすことが可能となる。同一画素における前ラインまでのシェーディングデータと、現在読み取っている入力データ（以下、現データ）と、を比較し、その差が一定以上大きいときには、現データはゴミなどの影響を受けていると判断して、現データを重加算平均演算に採用しないようにする。これはシェーディングデータを生成する際に画像データを重加算平均処理し、ノイズなどの影響を排除するものである。
【００２４】
平均化してきた重加算データＳn-1と新たにサンプリングしたデータＳnとを比較し、下記式からＫの値を求める。
Ｓn-1−Ｓn＝Ｋ
このＫの値が想定されるノイズ変動分より大きい場合に異常値と判断し、このＳnを加算せずにＳn-1をそのまま保持する動作が行われている。一般にシェーディング板である基準白板にゴミや汚れがあった場合は、
Ｓn-1≧Ｓn
の関係となる。重加算平均演算を行うことで、図５に示すように基準白板データを徐々に実際の基準白板データ値まで追従させていく。図５は、基準白板上のある画素にゴミが全くない場合の、当該画素における重加算平均演算時でのライン数と基準白板データの追従する関係を説明するためのグラフ図である。
【００２５】
なお、重加算平均処理部１２は、ＣＰＵ１３からの命令により、重加算平均演算に代えて、単純平均演算をしてもよい。その場合、画像読取装置１０は、シェーディングデータを生成する手段として基準白板の全ラインの単純平均を用いる。この構成によれば、基準白板の最終ライン近辺が汚れている場合、その影響を重加算平均結果よりも受けにくい効果が得られる。
【００２６】
画像読取装置１０のＣＰＵ１３は、現データ（上述したように、白基準データ取り込み部１１が「現在」読み取っている入力データ）が異常な値である場合、その値を切り捨てて所定の画素のデータを用いて重加算平均演算を行う演算機能を有する。
【００２７】
また、ＣＰＵ１３は、現データが重加算平均演算したデータ（前ラインまでの重加算平均演算結果値）に対してある一定以上離れていた場合、現データ値を前回の重加算平均演算結果値とし、重加算平均演算を行う。この場合、現データが、前ラインまでの結果値とある一定上離れていることを、「異常な値」であることとし、前回の重加算平均演算結果値を、「所定の画素のデータ」とする。
【００２８】
また、ＣＰＵ１３は、ある画素おきに重加算平均演算を行う。つまり、所定の個数おきの画素を、「所定の画素のデータ」とする。この場合、ＣＰＵ１３は、ある画素の重加算平均演算結果の代りになる画素を特定する。
【００２９】
また、ＣＰＵ１３は、各々の基準白板内の数画素の重加算平均演算結果の平均値を用いて隣り合う基準白板間の擬似のシェーディングデータを作成する。つまり、図４に示すように、基準白板１から５のいずれか１つにおいて、主走査方向における任意の数点の入力データを、副走査方向に向かって重加算平均演算を行い、任意の数点全ての加算平均（単純平均）値を演算し、さらにそれを基準白板１から５全てで行い、隣り合う基準白板間の加算平均値を結んで疑似のシェーディングデータを作成するのである。
【００３０】
また、ＣＰＵ１３は、現データが重加算データ（前ラインまでの重加算平均演算結果値）に対してある一定以上離れていた場合、その画素がある基準白板の位置を操作パネル１６に表示する命令を行う。
【００３１】
また、ＣＰＵ１３は、シェーディングデータ演算結果が、（図３を参照して後述する）シールを貼る側の板を読んだ結果（あらかじめシールを貼る前のシェーディングデータ演算結果値を記憶させておく）とほぼ同じであるかどうかを比較する。
【００３２】
また、ＣＰＵ１３は、シールを貼る前のシェーディングデータ演算結果値とほぼ同じシェーディング演算結果になった場合、前回の正常なシェーディング演算結果に取り替えることを行う。
【００３３】
ＲＯＭ１４は、画像読取装置１０全体の動作をする際に必要な一時記憶を記憶する記憶手段である。
ＲＯＭ１４は、ＣＰＵ１３が前ラインまでの重加算平均演算結果値より所定の値だけ小さいデータの画素がある場合にこれを前回の演算結果値と置き換える場合、前回の重加算平均演算結果（シェーディングデータ）値を、各画素毎に記憶する。
【００３４】
また、ＲＯＭ１４は、読み書き可能な不揮発性のメモリを利用して、新規にシールを貼ってから（新規に貼った時期は登録するようにする）どのくらいの月日が流れているかを検知して記憶しておくことにしてもよい。読み書き可能な不揮発性のメモリとしては、ＥＰＲＯＭやフラッシュメモリなど周知の技術が利用できる。
【００３５】
また、ＲＯＭ１４は、現データが重加算データに対してある一定以上離れていた場合、重加算平均演算に用いられなかった画素はどの位置の基準白板に属しているかを記憶する。
【００３６】
また、ＲＯＭ１４は、ある基準白板で使用する正常なシェーディング演算結果を記憶する。この構成によれば、基準白板としてのシールが貼っていないにもかかわらず操作者が画像読取の操作をした場合、ＲＯＭ１４に記憶された正常なシェーディング演算結果値を利用できるため、異常のないシェーディングが提供できる。
【００３７】
シェーディング補正部１５は、白基準データ取り込み部１１から得たデータと、ＣＰＵ１３から得た命令に基づき、重加算平均演算処理部１２が演算処理した基準白板データに基づいて、原稿データの正規化を行う。
【００３８】
操作パネル１６は、操作者からの指示入力を受け付ける操作手段であり、また、操作者に画像読取装置１０の状態を視覚的に示す表示手段である。また、図６を参照して後述するように、基準白板１から５のうち、異常を示した基準白板を剥がす旨、操作者に表示する機能を有する。
【００３９】
図２は、画像読取装置１０に使用する基準白板の一例を示す図である。ＣＰＵ１３がある画素おきに重加算平均演算を行う場合、つまり、所定の個数おきの画素を、「所定の画素のデータ」として、ＣＰＵ１３がある画素の重加算平均演算結果の代りになる画素を特定する場合には、この図２に示すように、基準白板１から５のいずれか１つを例えば９つの領域に分け、それぞれに例えば２つの所定の画素６を設定する。
所定の画素６は、主走査方向に数画素おきに（図２の点線部分である）並んで、シェーディングデータを作成する。基準白板は、実線で区切っているように９つの領域に分ける。ただし、９つの領域は、実物では分かれていなくて制御上、区分けしているだけである。
【００４０】
点線の画素である所定の画素６は、それの属する領域の、異常なシェーディングデータを示した画素の代わりとなってシェーディングデータを提供する。図２の例示では、それぞれの領域に２つの所定の画素６があるが、異常なシェーディングデータを示した画素に近い方の所定の画素６が、代わりのシェーディングデータを提供するように構成する。
この構成によれば、ある画素おきに重加算平均演算を行い、その画素を有する領域での重加算平均演算結果は、その領域にある画素ならどれでも代わりとしてシェーディングデータになり得ることで、ゴミの影響を受けた画素をカバーでき、転写紙に白い縦スジを発生させる可能性を低減できるという効果が得られる。
【００４１】
図３は、基準白板取り付け用の板７を説明するための図である。図３は、基準白板取り付け用の板７に基準白板を５枚取り付ける構成の例を示しており、原稿８との位置的関係も便宜的に示している。
【００４２】
基準白板１から５は、本実施形態において、貼り替え可能なシールで構成され、基準白板取り付け用の板７上に、主走査方向に並べて貼着されている。各基準白板の各領域における所定の画素６で、重加算平均演算処理部１２によって重加算平均演算が行われてシェーディングデータが得られる。
【００４３】
原稿８は、基準白板取り付け用の板７の副走査方向に後方に図示しない原稿台上に載置され、基準白板取り付け用の板７上の基準白板１から５が（図１に示した）白基準データ取り込み部１１によって読み込まれたのち、画像読取装置１０に読み取られる。
【００４４】
図４は図３での各基準白板領域内のシェーディングデータの平均値より、主走査全域の擬似のシェーディングデータを作成したグラフである。
図４に示すように、各基準白板領域内のシェ−ディングデータの平均値から擬似の主走査全領域のシェーディングデータを作成し、この擬似シェーディングデータを用いて原稿８の画像データが正規化される。なおこれは、ランプ光量や基準白板の濃度が主走査方向で急激な変化がないことを前提としている。
【００４５】
図５と図６は、重加算平均演算時でのライン数と基準白板データの追従する関係を示したグラフである。通常、ゴミがないときは、図５のように実際の基準白板データのレベルまで追従していく。それに対してゴミがある場合は、ゴミが付着している画素は重加算平均演算の対象外となる為、図６のように実際の基準白板データのレベルまで追従しきれない。もし、このシェーディングデータを使用してシェーディング補正を行うと転写紙に白い縦すじがでることになる。
【００４６】
次に、図７の説明を行う。画像読取装置１０は、ゴミや汚れなどが原因で図６のように白画像濃度が実際の基準白板データレベルまで追従しきれず、重加算平均演算を取るときに、その異常値の画素をシェーディング補正データ作成の対象から除外する。この処理の結果、重加算平均演算時に用いた画素数が所定の数よりも少なかった場合、画像読取装置１０は、その画素を有するシール（基準白板１から５のいずれか１つ又は複数）を、操作パネル１６上に表示する。図７は、その表示例を示す図である。
図７に示した例は、手前から２つ目の基準白板に汚れがある例である。図７に図示した「斜線の基準白板が汚れています。清掃又は交換をしてください。」という表示以外にも、コンタクトガラスのはずし方や、その際の注意事項等の説明も加えておくようにしてもよい。
【００４７】
また、白基準データ取り込み部１１の説明で一度述べたように、白基準データ取り込み部１１は、シールが貼ってある場所を見分ける機能を有する。白基準データ取り込み部１１は、シールが貼ってない場所を見つけた場合は、その旨をＣＰＵ１３に通知する。通知を受け取ったＣＰＵ１３は、さらにその旨を操作パネル１６に伝え、操作パネル１６はその旨を表示して操作者に伝える。この構成によれば、シールを貼りかえた際に貼り忘れた領域があった場合でも、電源ＯＮ後にシールが貼っていない個所があることを表示することにより、すぐにユーザやサービスマン等によって正常なシールに貼り替えることができ、常に正常なシェーディングデータを生成でき、異常のない転写紙を提供できるという効果が得られる。
【００４８】
さらにそのような場合、基準白板にシールを貼っていない領域があったままコピーをした場合でも、シェーディングデータを前回シェーディング演算結果とすればよい。この構成によれば、正常なシェーディングデータを生成することができ、異常のない転写紙を提供できるという効果が得られる。
【００４９】
なお、画像読取装置１０は基準白板を５枚有するが、言うまでもなく、本発明は５枚に限るものではない。また、基準白板の材質は、紙製、プラスチック製のものが利用できる。また、基準白板は、シール状にして取り付け用の板に貼着するのが好ましいが、取り付け用の板と基準白板を嵌合するよう構成して、機構的に取り付けを実現してもよい。
【００５０】
なお、ＣＰＵ１３が前述した各処理を実行するためのプログラムは、本発明によるプログラムを構成する。また、このプログラムを記録する記録媒体は、本発明によるコンピュータ読み取り可能な記録媒体を構成する。この記録媒体としては、半導体記憶装置や光学的及び／又は磁気的な記憶装置等を用いることができる。このようなプログラム及び記録媒体を、前述した実施の形態とは異なる構成の装置やシステム等で用い、そこのＣＰＵで上記プログラムを実行させることにより、本発明と実質的に同じ効果を得ることができる。
【００５１】
以下で、上記実施形態の構成と効果を確認する。
上記実施形態によれば、基準白板の重加算平均演算の際、指定された画素のみのデータを用いて重加算平均演算をすることで汚れやゴミがある画素をあらかじめ読まないようにするため、転写紙への白スジ発生を防ぐことができるという効果が得られる。
【００５２】
また、上記実施形態によれば、基準白板の重加算平均演算の際、シェーディングデータが目標白レベルに対してある範囲以上離れている画素がある場合は、その画素の前回重加算平均演算結果をその画素のシェーディングデータとするため、異常なシェーディングデータが生成されることなく、転写紙に縦スジを発生させることなく品質のよい画像を提供できる効果が得られる。
【００５３】
また、上記実施形態によれば、ある画素おきに重加算平均演算を行い、その画素を有する領域での重加算平均演算結果は、その領域にある画素ならどれでも代わりとしてシェーディングデータになりうるため、ゴミの影響を受けた画素をカバーでき、転写紙に縦スジを発生させる可能性を低減できるという効果が得られる。
【００５４】
また、上記実施形態によれば、シェーディングデータを生成する手段として重加算平均演算以外に単純平均演算も行える機能を有することで、基準白板の全ラインの単純平均を使うため、最終ラインが汚れていた場合でもその影響を極力小さくできるという効果が得られる。
【００５５】
また、上記実施形態によれば、基準白板を例えば図３のように擬似のシェーディングデータを作成するのに最低限必要な画素分のデータを取得できる枚数の張り替え可能なシールで構成し、重加算平均演算処理は数画素おきの画素のみを用いて行うことにより、基準白板の低コスト化及び重加算平均演算処理の簡易化が可能になり、擬似シェーディングデータを利用することにより、ゴミや汚れの影響を受けにくくできるという効果が得られる。
【００５６】
また、上記実施形態によれば、主走査方向に数枚の貼り替え可能なシールで構成されている基準白板の各々のシールが新規に貼ってからどのくらいの月日がたっているかを検知、記憶するので、これをユーザやサービスマン等が確認することによって、古くて濃度が変化したシールから異常なシェーディングデータが生成されて画像を作ることになる前に新しいシールに交換できるので、常に正常なシェーディングデータを得ることができるという効果が得られる。
【００５７】
また、上記実施形態によれば、前ラインまでの重加算平均演算結果値より所定の値小さい画素があった場合、その画素を有するシールの位置を操作パネル等に表示させることにより、ユーザが表示された情報に基づいてから効率よく清掃または基準白板の交換ができるという効果が得られる。
【００５８】
また、上記実施形態によれば、シールが貼ってある場所を見分ける機能を有することで、シールを貼りかえた際に貼り忘れた領域があった場合でも、電源ＯＮ後にシールが貼っていない個所があることを表示することにより、すぐにユーザやサービスマン等によって正常なシールに貼り替えることができ、常に正常なシェーディングデータを生成でき、異常のない転写紙を提供できるという効果が得られる。
【００５９】
また、上記実施形態によれば、基準白板にシールを貼っていない領域があったままコピーをした場合でも、シェーディングデータを前回シェーディング演算結果とすることで正常なシェーディングデータを生成することができ、異常のない転写紙を提供できるという効果が得られる。
【００６０】
また、上記実施形態によれば、例えば図３のように主走査方向に数枚の張り替え可能なシールで構成されていることで、基準白板が修復不可能な程度に汚れてしまった場合、基準白板そのものを交換することなく、その汚れたシールのみを貼り替えるだけで済み、経費をかけず容易に交換できるという効果が得られる。
【図面の簡単な説明】
【００６１】
【図１】本発明の一実施形態に該当する画像読取装置１０の主要部の構成を示すブロック図である。
【図２】図１の画像読取装置１０に使用する基準白板の一例を示す図である。
【図３】図１の画像読取装置１０の基準白板取り付け用の板７を説明するための図である。
【図４】本実施形態から得られるシェーディングデータを説明するための図である。
【図５】基準白板上のある画素にゴミが全くない場合の、当該画素における重加算平均演算時でのライン数と基準白板データの追従する関係を説明するためのグラフ図である。
【図６】基準白板上のある画素にゴミがある場合の、当該画素における重加算平均演算時でのライン数と基準白板データの追従する関係を説明するためのグラフ図である。
【図７】図１の操作パネル１６の表示例を示す図である。
【符号の説明】
【００６２】
１，２，３，４，５    基準白板
６    所定の画素
７    基準白板取り付け用の板
８    原稿
１０    画像読取装置
１１    白基準データ取り込み部
１２    重加算平均演算処理部（単純平均処理部）
１３    ＣＰＵ
１４    ＲＯＭ
１５    シェーディング補正部
１６    操作パネル
【図１】
2008053926.tif 000003
【図２】
2008053926.tif 000004
【図３】
2008053926.tif 000005
【図４】
2008053926.tif 000006
【図５】
2008053926.tif 000007
【図６】
2008053926.tif 000008
【図７】
2008053926.tif 000009